(57)【要約】      （修正有）【課題】車両利用者にわかりやすい給油作業を促すことができる車両用表示装置を提供する。【解決手段】車載され車両情報を画像表示する表示パネル１ａと、この表示パネル１ａを制御する制御手段３とを備えた車両用表示装置であって、制御手段３は、車両の給油用リッドの開操作を行うための操作レバーを示す動画を表示パネル１ａに表示させる。また、制御手段３は、燃料残量に関する情報を入力し、この情報に基づいて、所定量以下の燃料残量である場合に、操作レバーの位置を示す動画を、他の車両情報を示す画像から切り替えて表示させる。【選択図】図１
2015196488.tif 000002
【特許請求の範囲】
【請求項１】
車両情報を画像表示する表示手段と、この表示手段を制御する制御手段とを備えた車両用表示装置であって、
前記制御手段は、車両の給油用リッドの開操作を行うための操作手段を示す動画を前記表示手段に表示させることを特徴とする車両用表示装置。
【請求項２】
前記制御手段は、燃料残量に関する情報を入力し、この情報に基づいて、所定量以下の燃料残量である場合に、前記操作手段の位置を示す動画を、他の車両情報を示す画像から切り替えて表示させることを特徴とする請求項１に記載の車両用表示装置。
【請求項３】
前記制御手段は、前記操作手段の操作状態を示す動画を前記表示手段に表示させることを特徴とする請求項１に記載の車両用表示装置。
【請求項４】
前記制御手段は、車両の外観を示す画像を含む動画を前記表示手段に表示させることを特徴とする請求項１に記載の車両用表示装置。
【請求項５】
前記制御手段は、前記給油用リッドが開操作されるまでの複数の操作手順を示す動画を前記表示手段に表示させることを特徴とする請求項１に記載の車両用表示装置。
【発明の詳細な説明】
【技術分野】
【０００１】
本発明は、車両用表示装置、特に、画像にて車両情報を表示する車両用表示装置に関する。
【背景技術】
【０００２】
従来の車両用表示装置は、特許文献１に開示されているものが知られている。この車両用表示装置は、給油時に利用者に対して、給油口の位置を表示できる。また、この車両用表示装置にあっては、車両の燃料関連の仕様に関する個別差分報知プログラムが実行された場合に、燃料種別、燃費、航続可能距離及び給油口位置の差の少なくともいずれかの差を報知でき、例えば、車体対比画像に給油口位置の表示を加える形で表示したり、燃料種別などを報知できる。
【先行技術文献】
【特許文献】
【０００３】
【特許文献１】特開２００８−１３５０号公報
【発明の概要】
【発明が解決しようとする課題】
【０００４】
このような車両用表示装置は、自動車の給油の際には、給油用リッドの操作レバー（オープンレバー）を操作して、給油口を開ける必要がある。しかし、給油用リッドの操作レバーの位置は車種により配置が異なる。また、操作レバーは、敢えてわかりづらい位置に隠すようにして設けたり、複雑な操作によって給油用リッドを開操作できるようにする車両もあるため、車両利用者にとって、迷う可能性があり、改善の余地があった。
【０００５】
そこで本発明の目的は、上述した課題に着目し、わかりやすい給油作業を促すことができる車両用表示装置を提供することにある。
【課題を解決するための手段】
【０００６】
本発明の車両表示装置は、
車両情報を画像表示する表示手段と、この表示手段を制御する制御手段とを備えた車両用表示装置であって、
前記制御手段は、車両の給油用リッドの開操作を行うための操作手段を示す動画を前記表示手段に表示させることを特徴とする。
【０００７】
また、前記制御手段は、燃料残量に関する情報を入力し、この情報に基づいて、所定量以下の燃料残量である場合に、前記操作手段の位置を示す動画を、他の車両情報を示す画像から切り替えて表示させることを特徴とする。
【０００８】
また、前記制御手段は、前記操作手段の操作状態を示す動画を前記表示手段に表示させることを特徴とする。
【０００９】
また、前記制御手段は、車両の外観を示す画像を含む動画を前記表示手段に表示させることを特徴とする。
【００１０】
また、前記制御手段は、前記給油用リッドが開操作されるまでの複数の操作手順を示す動画を前記表示手段に表示させることを特徴とする。
【発明の効果】
【００１１】
本発明は、画像にて車両情報を表示する車両用表示装置に関し、利用者にとって、わかりやすい給油作業を促すことができる。
【図面の簡単な説明】
【００１２】
【図１】本発明の実施の形態の構成を示すブロック図。
【図２】同上実施の形態における表示器を示す図。
【図３】同上実施の形態の表示パネルの表示例を示す図。
【図４】同上実施の形態の表示パネルの表示例を示す図。
【図５】同上実施の形態の表示パネルの表示例を示す図。
【図６】同上実施の形態の表示パネルの表示例を示す図。
【図７】同上実施の形態の表示パネルの表示例を示す図。
【発明を実施するための形態】
【００１３】
以下、本発明の車両用表示装置が、車載計器に適用された実施の形態について添付図面を用いて説明する。
【００１４】
図１は、本発明に係る構成を示すブロック図であり、車載計器Ａは、表示器１と、入力手段２と、制御手段３とを備えている。これらの構成は、回路基板や配線等を介して電気的に接続されており、合成樹脂などのケース内に保持され、車両利用者が運転中に確認しやすいように車両前方のインストルメントパネルに設けられる。
【００１５】
表示器１は、図２に示すように、画素毎に透過／不透過を切り換えて表示像（画像）を形成する表示パネル（表示手段）１ａや、駆動源となるモータの回転によって目盛りや数値などの指標部を指示する指針式表示部１ｂを適用でき、通常走行時など車両の電源投入状態において、詳細に図示しないが、車両速度や走行距離、車載バッテリの残容量、警報など所望の車両情報を、制御手段３からの制御信号に基づいて表示する出力手段である。
【００１６】
表示パネル１ａは、発光ダイオードなどの光源からなるバックライトを備えた液晶表示パネルを適用できる。この場合、表示パネル１ａは、制御手段３からの制御信号に応じて、表示画面を生成して出力するとともに、このバックライトの出力輝度も変更できるように回路構成されている。
【００１７】
入力手段２は、車載計器の積算走行距離や区間走行距離など表示パネル１ａに出力される車両情報を切り替え表示するためのトリップスイッチ、または表示器１を含む車載計器の照明輝度を設定するための調光スイッチを適用できる。また、入力手段２は、車両利用者の押圧操作に応じた操作信号を制御手段３へ出力する。この場合、スラスト方向（長手方向）の押し圧操作や、ラジアル方向の回動操作を検出するレバースイッチを適用する。
【００１８】
制御手段３は、所定プログラムや各種データの格納、演算時の記憶領域などに用いる図示しないＲＯＭやＲＡＭ等の記憶部３ａと、前記所定プログラムに従って演算処理するためのＣＰＵと、入出力インターフェース等を設けたマイクロコンピュータを適用でき、入力手段２からの操作信号や、車両の各種センサに基づく車両情報を専用の通信ケーブル（多重通信ライン）を介して入力し、これらの信号に応じて表示器１やバックライト２、発光表示部３を制御するための制御信号を生成し出力する。この場合、前記通信ケーブルを介して、バッテリ制御ユニットＢや、メインスイッチユニットＣ、他のＥＣＵなどと通信可能に設けられる。
【００１９】
また、制御手段３は、記憶部３ａに格納された動画などの画像を制御する描画制御回路を含み、表示パネル１ａに表示する所望の画像データを描画演算して生成し、制御信号として出力できる。
【００２０】
また、制御手段３は、前記通信ケーブルを介して、燃料タンクに設けられる液面センサからの液面位置情報や、内燃機関の燃料噴射装置からの噴射量情報を入力し、燃料残量を計測し、燃料計として、表示器１に燃料残量を出力できる。この際、燃料残量が所定量未満であるか否かを判定し、燃料残量が少ない場合には、表示器１による警告表示や、鳴動手段による報知を行うことができる。
【００２１】
この燃料残量の警告状態の際の表示パネル１ａの表示制御について、図３乃至７を用いて説明する。
【００２２】
制御手段３は、前記警告状態の場合で、かつ車両利用者の降車動作を検出した場合には、図３乃至７の表示例を含む動画を表示する。なお、制御手段３は、降車動作として、運転席のシートベルトの着状態から脱状態への変化をバックルセンサから検出したり、変速機においてパーキングポジションへのシフト操作、イグニッションスイッチのオンからオフへの操作、運転席側ドアの開操作など何れかを検出することによって、車両利用者が降車動作を行ったと判断する。
【００２３】
この動画は、まず、図３に示すように、車両の側面外観を示す画像を含み、後述する操作対象となる給油用リッド１１やドア１２の配置がわかるような表示を行うことで、車両利用者によって、よりわかりやすい表示となる。
【００２４】
制御手段３は、図３に示す表示から図４に示す表示のように、ドア１２が閉状態から開状態へ変化するように表示パネル１ａを表示遷移させる。この表示遷移をアニメーションにて表現することで、ドア１２の変化を注目させることができる。
【００２５】
制御手段３は、図４に示す表示から図５に示す表示のように、車体画像を旋回させて、ドア１２に隠れていた操作レバー（操作手段）１３の位置がみえるように表示遷移させる。この場合、シート１４や車輪（タイヤ）１５、給油用リッド１１などの同時に表示することで、操作レバー１３の相対的な位置関係を表現できる。
【００２６】
次に制御手段３は、図５に示す表示から図６に示す表示のように、操作レバー１３が拡大表示されるように表示遷移させ、更に図７に示す表示のように、操作レバー１３が引かれて伸びる様子と、これに伴って給油用リッド１１が開状態となる変化の様子を表現している。この図６、及び図７の表示によって、給油用リッド１１と、操作レバー１３との関係性や操作レバー１３の操作方法を車両利用者に伝えることができる。また、図６と図７を複数回繰り返し表示することで、操作レバー１３の操作について認識しやすくなる。
【００２７】
燃料残量が低いことによる警報状態の場合には、通常よりも車両利用者が慌てている可能性があるため、特に、この警報状態で、上述した図３乃至図７の表示例を含む動画を表示することによって、位置や手順を含むガイドとなり、また、給油について印象付けて促したり、作業誤りを防止することも期待できる。なお、上述のように、給油用リッド１１を開操作するまでに、ドア１２を開操作する手順と、操作レバー１３を引く手順のように複数の手順を要する場合、または、操作対象となる操作レバー（操作手段）が隠れている場合であっても、これらの操作や位置を動画にてわかりやすく表現できる。
【００２８】
斯かる車載計器Ａは、車両情報を画像表示する表示パネル１ａと、この表示パネル１ａを制御する制御手段３とを備えた車両用表示装置であって、制御手段３は、車両の給油用リッド１１の開操作を行うための操作レバー１３を示す動画を表示パネル１ａに表示させる。
【００２９】
従って、操作レバー１３が、敢えてわかりづらい位置に隠すようにして設けたり、複雑な操作が必要な場合であっても、わかりやすい給油作業を促すことができる車両用表示装置となる。
【００３０】
また、制御手段３は、燃料残量に関する情報を入力し、この情報に基づいて、所定量以下の燃料残量である場合に、操作レバー１３の位置を示す動画を、他の車両情報を示す画像から切り替えて表示させることによって、車両の限られた表示スペースにおいて、車両状態に応じた最適な表示を選択的に表現できるため有効である。
【００３１】
また、制御手段３は、操作レバー１３の操作状態を示す動画を表示パネル１ａに表示させることによって、車両利用者に操作手順をわかりやすくガイドできる。
【００３２】
また、制御手段３は、車両の外観を示す画像を含む動画を表示パネル１ａに表示させることによって、操作手段１３に対して、車両の各種部品（ドアやシート、車輪など）位置との相対的な位置関係を表現することができ、わかりやすい表示となる。
【００３３】
また、制御手段３は、給油用リッド１１が開操作されるまでの複数の操作手順を示す動画を表示パネル１ａに表示させることによって、これら操作手順について順に示す動画にて、わかりやすく表現できる。なお、オープンカーでは、安易に燃料の盗難に遭わないために、発見し難い場所に給油用リッドの操作レバーが配置されている場合があり、このような車両に、好適な表示を提供できる。
【００３４】
なお、本発明の車両用表示装置を上述した実施の形態の構成にて例に挙げて説明したが、本発明はこれに限定されるものではなく、他の構成においても、本発明の要旨を逸脱しない範囲において種々の改良、並びに設計の変更が可能なことは勿論である。例えば、給油用リッドを開操作する操作手段がコンソールボックス内に設ける場合や、操作手段の操作が押したり引いたり以外のわかりづらい操作をともなう場合に、本発明は好適である。
【００３５】
また、上述した操作案内を含む動画に、イグニッションスイッチのオフ操作を促す表示出力を行ったり、入力手段２を用いた選択操作によって、車両利用者が手動で該動画を再表示させることもできる。また、例えば、図３乃至７の表示例に加えて、文字情報による説明や、別途スピーカによる音声案内を同時に行うことも考えられる。
【産業上の利用可能性】
【００３６】
本発明に係る車両用表示装置は、例えば、自動車などの移動体用の表示装置として適用でき、特に、燃料残量などの車両情報を表示する表示装置として好適である。また、電気自動車などの給電用リッド操作の案内表示として適用することも可能である。
【符号の説明】
【００３７】
１    表示器
１ａ  表示パネル（表示手段）
１ｂ  指針式表示部
１１  給油用リッド
１２  ドア
１３  操作レバー（操作手段）
１４  シート
１５  車輪
２    入力手段
３    制御手段
Ａ    車載計器
【図１】
2015196488.tif 000003
【図２】
2015196488.tif 000004
【図３】
2015196488.tif 000005
【図４】
2015196488.tif 000006
【図５】
2015196488.tif 000007
【図６】
2015196488.tif 000008
【図７】
2015196488.tif 000009